(57)【要約】      （修正有）【課題】省力しつつスムーズに穴を開けるという機能を達成することができる穴開けパンチのカッター構造の提供。【解決手段】カッター３は、中空の収容槽３１である筒体で、カッター３の底端には、刃を備える斜口カッター縁３２を形成し、穴開け台のカッターフレーム上に可動状態で設置され、斜口カッター縁３２と重ねた紙との角度は、15〜50度の間で、カッター３の収容槽３１内には、屑排出棒３６、バネ３７を設置し、バネ３７は、屑排出棒３６を押し上げ、これにより、紙屑を排出させ、カッター３の斜口カッター縁３２と重ねた紙との間の角度により、斜口カッター縁３２が穴を開ける時には、先、末端先鋭縁３２１、３２２において、抵抗力はそれぞれ単一点方式により発生し、カッター３と重ねた紙との全面的な接触を減らすことができる。【選択図】図２
2011110625.tif 000002
【特許請求の範囲】
【請求項１】
中空の収容槽である筒体を備え、カッター底端には、刃を備える斜口カッター縁を形成し、これにより、紙を裁断して穴を開けることを特徴とする穴開けパンチのカッター構造。
【請求項２】
請求項１記載の穴開けパンチのカッター構造において、前記カッターの斜口カッター縁と重ねた紙との間の角度は、15〜50度であることを特徴とする穴開けパンチのカッター構造。
【請求項３】
請求項１記載の穴開けパンチのカッター構造において、前記カッターはさらに、収容槽、バネ、紙屑排出棒を備え、
前記収容槽は、前記カッター内に形成し、
前記バネは、前記収容槽内に装置し、
前記紙屑排出棒は、前記収容槽内に設置し、上端は前記バネを押し上げ、こうして紙屑を排出することを特徴とする穴開けパンチのカッター構造。
【請求項４】
請求項３記載の穴開けパンチのカッター構造において、前記カッターの収容槽はさらに、階段状の停止部を備え、これにより前記紙屑排出棒は停止することを特徴とする穴開けパンチのカッター構造。
【請求項５】
請求項４記載の穴開けパンチのカッター構造において、前記カッターの収容槽はさらに、紙屑排出口を備え、前記紙屑排出口は、前記停止部の下方空間に設置されることを特徴とする穴開けパンチのカッター構造。
【発明の詳細な説明】
【技術分野】
【０００１】
本発明はパンチのカッター構造に関し、特に紙に穴を開ける事務用の穴開けパンチのカッター構造に関する。
【背景技術】
【０００２】
図１０、１１に示すように、従来の穴開けパンチのカッターにおいて、カッター４は、カッターフレーム５上に可動状態で設置する。カッター４は、実芯の柱体構造を呈し、しかも柱体周囲には、刃を備える逆V字型槽を形成する。そのV字型の縁は、水平で尖った形状の２個のカッター先端４１を呈する。しかも、そのV字型槽の槽型の周囲面には、平らな状態の２個の内側縁４２と上曲面４３とを備え、紙屑aの裁断を行い、及び裁断された後の紙屑bを収納する空間を形成することができる。上曲面４３の最高点から、斜行のカッター先端４１の２個の突端を結ぶ水平線までの垂直距離をカッターの窪みの深さhとする。
【０００３】
作動力量(kg)を縦軸にとり、重ねた紙の枚数を横軸としたグラフである図１２に、多数回のテストの結果を示す。逆V字型槽のカッター４が、適当なカッターの窪みの深さhに対応し、異なる枚数、厚みの重ねた紙aに対して穴開けを行う時、カッター４は、10ページを重ねた紙aを貫通するため、20.6kgが必要で、20ページを重ねた紙aを貫通するため、48.4kgが必要で、30ページを重ねた紙aを貫通するため、63kgが必要で、40ページを重ねた紙aを貫通するため、95kgが必要で、50ページを重ねた紙aを貫通するため、120kgが必要である。
【０００４】
しかし、従来の穴開けパンチのカッター４が作動する時、先ず、２点式の水平カッター先端４１が、重ねた紙aの最上層に接触し、次に、下方へと圧力を加え穴を開けるが、カッター先端４１は、水平で同じ高さの設計を採用するため、カッター４が穴開けを開始する時、重ねた紙aに同時に圧力を加えてしまい、圧力を受けて生じる抵抗力が２点となってしまう。このため、穴開け開始時に受ける抵抗力が比較的大きく、比較的大きなエネルギーが損耗され、順番に徐々に進む方式で順調に裁断が進むことがなく、よって通常は力を込めて一気に行う必要がある。さらに、カッター４底部の周囲面は、逆V字型槽の設計を採用するため、穴開け後に形成される紙屑bは、上曲面において変形し、最後は圧縮され、V字型槽間に圧迫される。紙屑bが生じる湾曲度は非常に高いため、カッター４平側面が受ける抵抗力は、それに相対して増大し、より力を必要とする穴開け状況を形成する。
本発明は、従来の穴開けパンチのカッター構造の上記した欠点に鑑みてなされたものである。
【発明の概要】
【発明が解決しようとする課題】
【０００５】
本発明の目的は、カッターが中空収容槽を呈する筒体であり、カッターの底端には、刃を備える斜口カッター縁を形成し、これにより紙を裁断して穴を開ける機能を達成する穴開けパンチのカッター構造を提供することである。
【課題を解決するための手段】
【０００６】
上述の目的を達成するため、本発明は下記の穴開けパンチのカッター構造を提供する。
穴開けパンチのカッター構造は、穴を開ける過程において、最初の抵抗力は、斜口カッター縁の先端先鋭縁に生じ、次に、順番に斜口カッター縁の両側により裁断され、斜口カッター縁の末端先鋭縁において終了し、これにより穴開けの抵抗力はそれぞれ単一点方式により発生し、カッターと重ねた紙との全面的な接触を減らすことができ、省力化を達成でき、
収容槽内の紙屑排出棒は、紙屑を自動的に排出させる機能を備えるため、紙屑が詰りカッターに引っ掛かる恐れを払拭することができ、しかもカッターの重ねた紙に対する抵抗力を減らすことができるため、省力しつつスムーズに穴を開けるという機能を達成することができる。
【発明の効果】
【０００７】
本発明穴開けパンチのカッター構造は、カッターの斜口カッター縁と重ねた紙との間の角度により、斜口カッター縁が穴を開ける時には、前、末端先鋭縁において、抵抗力はそれぞれ単一点方式により発生し、カッターと重ねた紙との全面的な接触を減らすことができる。しかも、収容槽内の紙屑排出棒は、紙屑を自動的に排出させるため、紙屑が詰りカッターに引っ掛かる恐れを払拭することができ、しかもカッターの重ねた紙に対する抵抗力を減らすことができるため、省力しつつスムーズに穴を開けるという機能を達成することができる。
【図面の簡単な説明】
【０００８】
【図１】本発明の組合せ模式図である。
【図２】本発明カッターの分解模式図である。
【図３】本発明カッターの断面組合せ模式図である。
【図４】本発明カッターが連続して穴を開ける動作の模式図である。
【図５】本発明カッターが重ねた紙に対して穴開けを行う際の、重ねた紙の枚数と、さまざまな角度における作動力を示す折れ線グラフである。
【図６】本発明カッターが重ねた紙に対して穴開けを行う際の、重ねた紙の枚数と、さまざまな角度における作動力を示す折れ線グラフである。
【図７】本発明カッターが重ねた紙に対して穴開けを行う際の、重ねた紙の枚数と、さまざまな角度における作動力を示す折れ線グラフである。
【図８】本発明カッターが重ねた紙に対して穴開けを行う際の、重ねた紙の枚数と、さまざまな角度における作動力を示す折れ線グラフである。
【図９】本発明カッターが重ねた紙に対して穴開けを行う際の、重ねた紙の枚数と、さまざまな角度における作動力を示す折れ線グラフである。
【図１０】従来のカッターの外観模式図である。
【図１１】従来のカッターの穴開け動作の模式図である。
【図１２】従来カッターが、さまざまな厚みの重ねた紙に対して穴開けを行う作動力の折れ線グラフである。
【図１３】本発明カッターと従来のカッターとの作動力を比較する折れ線グラフである。
【発明を実施するための形態】
【０００９】
図１〜４に示すように、穴開けパンチのカッター構造は、穴開け台１、加圧部品２、カッター３を備える。
穴開け台１上には、カッターフレーム１１を設置する。加圧部品２には、プレッシャーアーム２１を設置する。プレッシャーアーム２１と穴開け台１のカッターフレーム１１とは、可動状態で設置する。カッター３は、中空の収容槽３１である筒体で、カッター３の底端には、刃を備える斜口カッター縁３２を形成する。カッター３上には、可動孔３３を設置し、可動棒２２により、穴開け台１のカッターフレーム１１上にカッター３を可動状態で設置する。斜口カッター縁３２と重ねた紙Aの角度θは、15〜50度の間で、斜口カッター縁３２の先端尖鋭縁３２１と末端尖鋭縁３２２との間の垂直距離は、カッター縁長さHである。カッター３の収容槽３１内縁には、階段状の停止部３４を設置する。停止部３４下方の空間には、屑排出口３５を形成する。収容槽３１内には、屑排出棒３６、バネ３７を設置する。バネ３７は、屑排出棒３６を作動させ、これにより、紙屑Bは、屑排出口３５から排出される。
【００１０】
図１〜３に示すように、本発明のカッター３を組み合わせて実施する時には、屑排出棒３６、バネ３７を、カッター３の収容槽３１内に入れ、カッター３を、穴開け台１のカッターフレーム１１内に設置する。加圧部品２のプレッシャーアーム２１と、カッターフレーム１１とを可動状態で結合させ、次に、加圧部品２のプレッシャーアーム２１、カッター３の可動孔３３を可動棒２２により通過し、可動状態で接続して固定する。こうして、屑排出棒３６は、バネ３７の圧迫を受け、しかも収容槽３１の停止部３４上において定位される。
【００１１】
図１〜４に示すように、本発明穴開けパンチのカッター構造の使用時には、加圧部品２のプレッシャーアーム２１により、カッター３の斜口カッター縁３２を連動して下方へと向かわせ、カッター３斜口カッター縁３２の先端尖鋭縁３２１を利用して、重ねた紙Aの最上層に接触させる。この時には、先端尖鋭縁３２１における単一点の抵抗力だけしか受けない。続けて下方へと加圧し穴開けを進めると、先端尖鋭縁３２１の両側の斜口カッター縁３２が、それぞれ徐々に重ねた紙Aに対して裁断を進行する。この時、完全に裁断されていない紙屑Bは、屑排出口３５内に入り、屑排出棒３６の末端と接触する。屑排出棒３６は、重ねた紙Aに圧迫され、上方へとバネ３７を圧縮する。これにより、カッター３が、再度、下方へと穴を開ける時には、斜口カッター縁３２末端先鋭縁３２２の単一抵抗力に転換する。こうして、カッター３は、重ねた紙Aの紙屑Bを完全に裁断する。紙屑Bが裁断された後、カッター３が受けていた抵抗力は消失し、収容槽３１内の、紙屑Bの圧縮を受けていたバネ３７は、弾性により、紙排出棒３６を下方へと押す。こうして、紙屑Bは、紙屑排出口３５より外へと押し出され、カッター３の重ねた紙Aに対する穴開け動作を完成する。
【００１２】
図５〜９に示すグラフでは、縦軸に作動力量(kg)を、横軸に斜口カッター縁３２と重ねた紙Aとの角度θをとる。図５〜９では、カッター３の斜口カッター縁３２と重ねた紙Aとの間の角度θ(カッター縁長さH)が、それぞれ16度(2mm)、23.2度(3mm)、29.7度(4mm)、35.5度(5mm)、40.6度(6mm)、45度(7mm)、48.8度(8mm)で、穴を開ける重ねた紙Aの厚みが、10ページ、20ページ、30ページ、40ページ、50ページである時、それが示す作動力量を示す。
【００１３】
さらに図１３は、本発明と従来の構造との作動力量を比較する模式図である。図１３における上方の曲線は、従来の構造が穴を開ける際の重ねた紙のページ数と作動力量を示し、10ページ/20.6kg、20ページ/48.4kg、30ページ/63kg、40ページ/95kg、50ページ/120kgとなる。下方の曲線は、本発明の構造が、図５〜９に示すように、重ねた紙Aのページ数がさまざまである時の作動力量を示す。本発明構造は、斜口カッター縁３２が10ページの重ねた紙Aに対して穴を開ける時に、29.7度であれば最適な作動力量は、9.24kgで、20ページの時に35.5度であれば18.68kgで、30ページの時に35.5度であれば36.52kgで、40ページの時に35.5度であれば56kgで、50ページの時に35.5度であれば76kgである。よって、本発明と従来の構造とを比較すると、本発明のカッター３は、省力の効果を確実に備えていることが分かる。
上記したグラフにおける数値は、最適な省力角度を選択したもので、図５〜９に示すように、本発明は他の各角度における作動力量においても、従来の構造より高い省力効果を備える。
【００１４】
本発明の穴開けパンチのカッター構造は、中空の収容槽を備え、しかも斜口カッター縁を備える中空カッターで、カッターの斜口カッター縁と重ねた紙との間の角度により、斜口カッター縁が穴を開ける時には、前、末端先鋭縁において、抵抗力はそれぞれ単一点方式により発生し、カッターと重ねた紙との全面的な接触を減らすことができる。しかも、収容槽内の紙屑排出棒は、紙屑を自動的に排出させるため、紙屑が詰りカッターに引っ掛かる恐れを払拭することができ、しかもカッターの重ねた紙に対する抵抗力を減らすことができるため、省力しつつスムーズに穴を開けるという機能を達成することができる。
【符号の説明】
【００１５】
１  穴開け台
１１  カッターフレーム
２  加圧部品
２１  プレッシャーアーム
２２  可動棒
３  カッター
３１  収容槽
３２  斜口カッター縁
３２１  先端尖鋭縁
３２２  末端尖鋭縁
３３  可動孔
３４  停止部
３５  屑排出口
３６  屑排出棒
３７  バネ
A  重ねた紙
B  紙屑
H  カッター縁長さ
４  カッター
４１  カッター先端
４２  内側縁
４３  上曲面
５  カッターフレーム
a  重ねた紙
b  紙屑
h  カッターの窪みの深さ
【図１】
2011110625.tif 000003
【図２】
2011110625.tif 000004
【図３】
2011110625.tif 000005
【図４】
2011110625.tif 000006
【図５】
2011110625.tif 000007
【図６】
2011110625.tif 000008
【図７】
2011110625.tif 000009
【図８】
2011110625.tif 000010
【図９】
2011110625.tif 000011
【図１０】
2011110625.tif 000012
【図１１】
2011110625.tif 000013
【図１２】
2011110625.tif 000014
【図１３】
2011110625.tif 000015